(57)【特許請求の範囲】
【請求項１】
消火剤ガスを使用するガス系消火設備において消火対象区画に消火剤ガスを放出するために設置される消音手段を備えた噴射ヘッドであって、前記消音手段が、オリフィスの出口部に配設した気体が流通可能な多孔性材料からなるブロック形状の消音部材で構成し、該消音部材の大気に開放される一方側の端面が、該端面の中心部に当接するボルトを介して、噴射ヘッド本体に支持されることによって、前記端面がボルトが当接する中心部を除いて大気に環状に開放されてなることを特徴とするガス系消火設備用の消音機能を有する噴射ヘッド。
【発明の詳細な説明】
【技術分野】
【０００１】
本発明は、窒素、二酸化炭素、フッ素化合物等の消火剤ガスを使用するガス系消火設備において、消火対象区画に消火剤ガスを放出するために天井や壁面等に設置される噴射ヘッドに関し、特に、消火剤ガスが放出される際に発生する騒音を低減できるようにしたガス系消火設備用の消音機能を有する噴射ヘッドに関するものである。
【背景技術】
【０００２】
窒素、二酸化炭素、フッ素化合物等の消火剤ガスを使用するガス系消火設備において、消火の際にガス系消火設備が作動すると、約１分間以内（フッ素化合物の消火剤ガスの場合は１０秒）で消火対象区画の消火剤ガス濃度が消火濃度に達するように、消火剤ガスが放出される。
【０００３】
このとき、消火剤ガスは、消火対象区画に消火剤ガスを放出するために天井や壁面等に設置される噴射ヘッドから放出されるが、ガス系消火設備用噴射ヘッドは、図９（ａ）に示すような、消火剤ガスが供給される配管４０に接続された噴射ヘッド１０Ａの出口部にオリフィス２０を備え、オリフィス２０から消火剤ガスを直接消火対象区画に放出するようにしたものや、図９（ｂ）に示すような、消火剤ガスが供給される配管４０に接続された噴射ヘッド１０Ｂの出口部にオリフィス２０及び円錐形状のデフレクタ（偏向部材）５０を備え、オリフィス２０から放出された消火剤ガスをデフレクタ（偏向部材）５０により偏向させて消火対象区画に放出するようにしたもの、さらには、図９（ｃ）に示すような、噴射ヘッド１０Ｃの出口部にオリフィス（図示省略）及び円錐筒形状のホーン（拡散部材）６０を備え、オリフィスから放出された消火剤ガスをホーン（拡散部材）６０により拡散させて消火対象区画に放出するようにしたもの等が従来から汎用されてきた。
【０００４】
このように、上記従来のガス系消火設備用噴射ヘッド１０Ａ、１０Ｂ、１０Ｃは、消火対象区画に通常複数個設置される各々の噴射ヘッドから同じ量の消火剤ガスが放出されるようにするために、噴射ヘッドから放出される消火剤ガスの流量をオリフィス２０によって制限するようにしているが、このため、噴射ヘッドから消火剤ガスが放出される際に、高レベルの騒音（具体的には、１２０ｄｂ以上の騒音）が発生することが知られていた。
【０００５】
ところで、ガス系消火設備の作動時には、消火対象区画内に人が存在しないことが前提となっているため、噴射ヘッドから消火剤ガスが放出される際に発生する騒音（振動）に対しては、従来全く問題視されず、何の対策も取られていなかった。
【０００６】
しかしながら、最近になって、ガス系消火設備の作動時に消火対象区画内に逃げ遅れた人がいた場合の対処、また、噴射ヘッドから消火剤ガスが放出される際に発生する騒音が周囲にいる人に悪影響を及ぼすおそれがあること、さらには、騒音（振動）が情報通信機器等の精密機器の故障の要因になるなどの知見に基づき、消火剤ガスが放出される際に発生する騒音を低減するための技術が提案されてきた（例えば、特許文献１〜３参照。）。
【先行技術文献】
【特許文献】
【０００７】
【特許文献１】特開２０１１−１１５２５５号公報
【特許文献２】特開２０１１−１２５６７３号公報
【特許文献３】特開２０１１−２５５１５２号公報
【発明の概要】
【発明が解決しようとする課題】
【０００８】
このように、噴射ヘッドから消火剤ガスが放出される際に発生する騒音（「振動」を含み、以下、単に、「騒音」という。）に起因する問題に対処するための上記技術のうち、特許文献１に記載の技術は、消火設備を起動すべき場合に、消火設備の起動タイミングと、消火設備起動に伴うＩＣＴ装置の動作不良発生防止のための回避措置タイミングとを連動させるもので、騒音の低減を目的とするものではなかった。
一方、特許文献２及び３に記載の技術は、騒音の低減を目的とするものではあるが、騒音の低減率を高めるためには、噴射ヘッドを大型化する必要があり、設置場所の制約やコスト上昇の問題があった。
【０００９】
本発明は、上記従来のガス系消火設備用噴射ヘッドの問題点に鑑み、小型の噴射ヘッドによって、騒音の低減率を高めることができるようにしたガス系消火設備用噴射ヘッドを提供することを目的とする。
【課題を解決するための手段】
【００１０】
上記目的を達成するため、本発明のガス系消火設備用の消音機能を有する噴射ヘッドは、消火剤ガスを使用するガス系消火設備において消火対象区画に消火剤ガスを放出するために設置される消音手段を備えた噴射ヘッドであって、前記消音手段が、オリフィスの出口部に配設した気体が流通可能な多孔性材料からなるブロック形状の消音部材で構成し、該消音部材の大気に開放される一方側の端面が、該端面の中心部に当接するボルトを介して、噴射ヘッド本体に支持されることによって、前記端面がボルトが当接する中心部を除いて大気に環状に開放されてなることを特徴とする。
【発明の効果】
【００１１】
本発明のガス系消火設備用の消音機能を有する噴射ヘッドによれば、消音手段が、オリフィスの出口部に配設した気体が流通可能な多孔性材料からなるブロック形状の消音部材で構成し、該消音部材の大気に開放される一方側の端面が、該端面の中心部に当接するボルトを介して、噴射ヘッド本体に支持されることによって、前記端面がボルトが当接する中心部を除いて大気に環状に開放されてなることにより、消音部材を噴射ヘッド本体に強固に拘束、支持することができることから、消火剤ガスの流通抵抗が大きく、単位容積当たりの消音性能の高い消音部材を使用することが可能となり、騒音の低減率を高めることができる。これにより、噴射ヘッドを小型化することが可能になり、設置場所の制約やコスト上昇の問題を解消することができる。
【図面の簡単な説明】
【００１２】
【図１】本発明のガス系消火設備用の消音機能を有する噴射ヘッドの一実施例を示す斜め下から見た斜視図である。
【図２】同正面図である。
【図３】同背面図である。
【図４】同左側面図である。
【図５】同右側面図である。
【図６】同平面図である。
【図７】同底面図である。
【図８】図６のＸ−Ｘ断面図である。
【図９】従来のガス系消火設備用噴射ヘッドを示す説明図である。
【発明を実施するための形態】
【００１３】
以下、本発明のガス系消火設備用の消音機能を有する噴射ヘッドの実施の形態を、図面に基づいて説明する。
【実施例１】
【００１４】
図１〜図８に、本発明のガス系消火設備用の消音機能を有する噴射ヘッドの一実施例を示す。
【００１５】
このガス系消火設備用の消音機能を有する噴射ヘッド１は、消火剤ガスを使用するガス系消火設備において消火対象区画に消火剤ガスを放出するために設置される噴射ヘッドであり、消火剤ガスが供給される配管（図示省略）に接続される噴射ヘッド本体２と、この噴射ヘッド本体２の内部空間に形成した段部２１に着脱可能に配設した複数のオリフィス３１を形成したオリフィス板３と、オリフィス３１の出口部に配設した気体が流通可能な多孔性材料からなるブロック形状の消音部材４と、消音部材４の大気に開放される一方側の端面の周縁部に当接して消音部材４を噴射ヘッド本体２に支持するリング部材５と、消音部材４の大気に開放される一方側の端面の中心部に当接して消音部材４を噴射ヘッド本体２に支持するボルト６とで構成されている。
【００１６】
この場合において、複数のオリフィス３１を形成したオリフィス板３を、噴射ヘッド本体２の内部空間に形成した段部２１に、例えば、段部２１及びオリフィス板３の周面に形成したねじを介して、着脱可能に配設するようにしている。
これにより、複数種類のオリフィス３１を形成したオリフィス板３を設置場所等の条件に応じて選択することができる。
なお、オリフィス板３を省略し、噴射ヘッド本体２に同様のオリフィスを直接形成するようにすることもできる（図示省略）。
【００１７】
また、オリフィス３１は、オリフィス３１の小径部３１ａ側を消音部材４に面するようにすることが好ましい。
これにより、消音部材４の中心部から周辺部に向けて消火剤ガスを均一に流通させることによって、消火剤ガスの放出部位で発生する騒音を均一にできることと相俟って、騒音の低減率を一層高めることができる。
【００１８】
多孔性材料からなるブロック形状の消音部材４は、一体構造のもので構成するほか、本実施例に示すように、上流側部材４１及び下流側部材４２からなる分割構造のもので構成することができる。
【００１９】
消音部材４を構成する多孔性材料は、形状保持性能の高い無機材料（金属、金属の酸化物、金属の水酸化物等）からなる焼結体を好適に用いることができる。
【００２０】
消音部材４を構成する多孔性材料の空隙の孔径は、全体を均質な材料で構成するほか、気体が流通する方向に変化させた材料、より具体的には、気体が流通する方向に小さくした材料で構成することができ、例えば、本実施例においては、上流側部材４１の空隙の孔径よりも、下流側部材４２の空隙の孔径が小さくなるような材料で構成することができる。
このように、消音部材４を構成する多孔性材料の空隙の孔径を、気体が流通する方向に小さくすることにより、消音部材４の各部位から消火剤ガスを均一に放出することによって、消火剤ガスの放出部位で発生する騒音を均一にできることと相俟って、騒音の低減率を一層高めることができる。
【００２１】
そして、消音部材４は、一体構造、分割構造のいずれの場合も、消音部材４の他方側（大気に開放される側の反対側）の端面が噴射ヘッド本体２（本実施例においては、オリフィス板３を含む。）に接して配設されるとともに、消音部材４の一方側（大気に開放される側）の端面が、この端面の周縁部に当接するリング部材５及び端面の中心部に当接するボルト６を介して、噴射ヘッド本体２に支持されるようにしている。
この場合、リング部材５は、噴射ヘッド本体２及びリング部材５の周面に形成したねじを介して、噴射ヘッド本体２に着脱可能に配設するようにしている。
そして、消音部材４を構成する下流側部材４２を、上流側部材４１より大径に形成するとともに、この下流側部材４２の外周縁部を、噴射ヘッド本体２の端面とリング部材５の縁部とで挟持するようにして固定することにより、消音部材４（下流側部材４２）の大気に開放される消火剤ガスの放出面積を一層大きく取ることができ、騒音の低減率を高めることができる。
また、ボルト６は、オリフィス板３に螺着するようにしている。
【００２２】
これにより、消音部材４を噴射ヘッド本体２に強固に拘束、支持することができることから、消火剤ガスの流通抵抗が大きく、単位容積当たりの消音性能の高い消音部材４を使用することが可能となり、騒音の低減率を高めることができ、これによって、噴射ヘッド１を小型化することが可能になり、設置場所の制約やコスト上昇の問題を解消することができる。
【００２３】
以上、本発明のガス系消火設備用の消音機能を有する噴射ヘッドについて、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明のガス系消火設備用の消音機能を有する噴射ヘッドは、小型の噴射ヘッドによって、騒音の低減率を高めることができることから、窒素、二酸化炭素、フッ素化合物等の消火剤ガスを使用するガス系消火設備の用途に広く用いることができ、適用対象も、新設のガス系消火設備に限定されず、噴射ヘッドを交換するだけで、既設のガス系消火設備にも適用することができる。
【符号の説明】
【００２５】
１  噴射ヘッド
２  噴射ヘッド本体
２１  段部
３  オリフィス板
３１  オリフィス
４  消音部材
４１  上流側部材
４２  下流側部材
５  リング部材
６  ボルト
【図１】
0006305688.tif 000002
【図２】
0006305688.tif 000003
【図３】
0006305688.tif 000004
【図４】
0006305688.tif 000005
【図５】
0006305688.tif 000006
【図６】
0006305688.tif 000007
【図７】
0006305688.tif 000008
【図８】
0006305688.tif 000009
【図９】
0006305688.tif 000010